(57)【要約】【課題】  浴槽の開口を適正な状態で閉塞できるとともに、浴槽の開口縁部から落下することのない風呂蓋を提供すること。【解決手段】  浴槽１１の開口縁部１１ａに取り付けられ浴槽１１を閉塞することのできる風呂蓋１０における浴槽１１の開口縁部１１ａに対向する部分に、開口縁部１１ａに係合可能な係合部を設けた。そして、この係合部を、風呂蓋１０の下面における浴槽１１の開口縁部１１ａに対向する当接部１６ａよりも浴槽１１の開口に対向する段状突部１６ｂを下方に突出させることにより形成した。【選択図】  図４
2007190165.tif 000002
【特許請求の範囲】
【請求項１】
浴槽の開口縁部に載置され前記浴槽を閉塞することのできる風呂蓋であって、下面に前記浴槽の開口縁部と係合可能な係合部を設けたことを特徴とする風呂蓋。
【請求項２】
前記係合部を、前記風呂蓋の下面における前記浴槽の開口縁部に対向する部分よりも前記浴槽の開口に対向する部分を下方に突出させることにより形成した請求項１に記載の風呂蓋。
【請求項３】
前記係合部を、前記風呂蓋の下面に、一方の縁部を中心として回転可能に取り付けられた部材で構成し、前記風呂蓋を前記浴槽の開口縁部に載置したときに下方に回転して前記浴槽の開口縁部における内部側部分に係合するようにした請求項１に記載の風呂蓋。
【請求項４】
前記風呂蓋の下面に前記係合部を収容できる収容凹部を設け、前記係合部が突出することなく前記収容凹部に収容されるとともに、下方に回転したときに前記収容凹部から突出するようにした請求項３に記載の風呂蓋。
【請求項５】
前記浴槽が、長手方向に沿った一方の側面を壁面に沿わせるとともに、他方の側面を洗い場側に向けて配置されており、前記係合突起が、前記風呂蓋の下面における少なくとも洗い場側に位置する部分に設けられている請求項１ないし４のうちのいずれかひとつに記載の風呂蓋。
【発明の詳細な説明】
【技術分野】
【０００１】
本発明は、浴槽の上面開口を閉塞する風呂蓋に関する。
【背景技術】
【０００２】
従来から、浴槽においては、浴槽内の湯を保温するための風呂蓋が用いられている（例えば、特許文献１参照）。この風呂蓋の周縁部には、エッジプロテクタが設けられ、取り扱い中に風呂蓋が滑って落下しても入浴者の体を痛めないようにしている。
【特許文献１】特開平８−２７５８９１号公報
【発明の開示】
【０００３】
しかしながら、前述した従来の風呂蓋は、浴槽の開口縁部に載せられているだけであるため、浴槽の開口縁部から位置ずれしたり落下したりすることがある。このため、浴槽の開口を十分に閉塞できず保温効果を十分に発揮することができない場合がある等の問題がある。
【０００４】
本発明は、前述した問題に対処するためになされたもので、浴槽の開口を適正な状態で閉塞できるとともに、浴槽の開口縁部から落下し難い風呂蓋を提供することである。
【０００５】
前述した目的を達成するため、本発明に係る風呂蓋の構成上の特徴は、浴槽の開口縁部に載置され浴槽を閉塞することのできる風呂蓋であって、下面に浴槽の開口縁部と係合可能な係合部を設けたことにある。
【０００６】
前述したように構成された本発明に係る風呂蓋の下面には、係合部が設けられており、この係合部を浴槽の開口縁部に係合させた状態で、風呂蓋が浴槽の上面に載置されるため、風呂蓋は浴槽の上面における適正な位置に位置決めされるとともに、その位置からずれたり、浴槽の上面から落下したりすることが防止され、浴槽の保温効果が増すようになる。
【０００７】
この場合の係合部は、種々のもので構成することができ、例えば、突部や凹部で構成することができる。係合部を突部で構成する場合には、風呂蓋の下面周縁部に沿って形成した長い突条や、長さの短い複数の突起等とすることができる。この場合の突条や突起からなる係合部は、風呂蓋の下面における浴槽の開口縁部の内部側に対向する部分に設け、浴槽の開口縁部の内側面に係合できるようにする。また、係合部を凹部で構成する場合には、風呂蓋の下面に形成した溝部や段部で構成することができる。
【０００８】
また、本発明に係る風呂蓋の他の構成上の特徴は、係合部を、風呂蓋の下面における浴槽の開口縁部に対向する部分よりも浴槽の開口に対向する部分を下方に突出させることにより形成したことにある。これによると、風呂蓋の浴槽への係合をさらに確実にすることができる。また、この場合、風呂蓋の下面における下方に突出する部分を浴槽の開口に対向する部分全体に設けてもよいし、開口縁部の内部側部分に対向する部分だけに設けてもよい。
【０００９】
また、本発明に係る風呂蓋のさらに他の構成上の特徴は、係合部を、風呂蓋の下面に、一方の縁部を中心として回転可能に取り付けられた部材で構成し、風呂蓋を浴槽の開口縁部に載置したときに下方に回転して浴槽の開口縁部における内部側部分に係合するようにしたことにある。
【００１０】
これによると、風呂蓋を浴槽の上面に載置したときには、係合部が、例えば自重によって下方に回転して浴槽の開口縁部に係合して、風呂蓋の位置ずれや落下を防止することができる。なお、この場合の係合部の回転方向は、風呂蓋の前後方向であっても左右方向であってもよく、要は、係合部が下方に回転したときに、浴槽の開口縁部における内部側部分に係合できる構成になっていればよい。
【００１１】
また、本発明に係る風呂蓋のさらに他の構成上の特徴は、風呂蓋の下面に係合部を収容できる収容凹部を設け、係合部が突出することなく収容凹部に収容されるとともに、下方に回転したときに収容凹部から突出するようにしたことにある。これによると、風呂蓋を浴槽の上面から取り外したときには、係合部を突出させることなく収容凹部内に収めることができ、風呂蓋を浴槽の上面から取り外して壁面等に立てかける場合には、係合部が突出して邪魔になることがない。
【００１２】
また、本発明に係る風呂蓋のさらに他の構成上の特徴は、浴槽が、長手方向に沿った一方の側面を壁面に沿わせるとともに、他方の側面を洗い場側に向けて配置されており、係合突起が、風呂蓋の下面における少なくとも洗い場側に位置する部分に設けられていることにある。これによると、係合部の大きさや数または係合部を設ける場所を少なくすることができる。また、浴槽の奥側に壁面がある場合に、風呂蓋が位置ずれしたり落下したりする方向は洗い場側だけであるため、この部分に係合部を設けて洗い場側への移動を禁止すれば風呂蓋の位置ずれや落下を防止することができる。
【発明を実施するための最良の形態】
【００１３】
（第１実施形態）
以下、本発明の第１実施形態に係る風呂蓋を図面を用いて詳しく説明する。図１は、同実施形態に係る風呂蓋１０を備えた浴槽１１を示している。この浴槽１１は平面視が長方形に形成され、その長手側の一方の側面を浴室の壁面１２に沿わせて設置されており、長手側の他方の側面が洗い場１３に面している。そして、浴槽１１の洗い場１３側の側面の壁面１４側部分に、カウンター１５が壁面１４に沿って設置されている。
【００１４】
風呂蓋１０は、浴槽１１を閉塞できる３個１組の蓋部材１６，１７，１８で構成されており、蓋部材１６は図２に示したように形成され、蓋部材１７は図３に示したように形成されている。また、蓋部材１８は、蓋部材１６と同形状に形成され、使用時には、蓋部材１６と向きを水平面上で１８０度回転させて設置される。すなわち、蓋部材１６は、平面視が長方形に形成された板状体で構成されその上面は平面に形成されている。そして、蓋部材１６の下面は、浴槽１１の中央側に対応する縁部を除く周縁部側部分が略コ字状の平面からなる当接部１６ａに形成され、浴槽１１の中央側に対応する縁部を含む中央側部分が当接部１６ａよりも下方に突出した段状突部１６ｂに形成されている。
【００１５】
このため、蓋部材１６を浴槽１１の開口縁部１１ａの一方側に設置すると、図４に示したように、蓋部材１６の当接部１６ａが浴槽１１の開口縁部１１ａに当接し、段状突部１６ｂが浴槽１１の開口内に突出するようになる。このとき、蓋部材１６は、段状突部１６ｂの前後（洗い場１３側を前、壁面１２側を後とする。）両端部が浴槽１１における開口縁部１１ａの内部側の壁面に当たることにより、浴槽１１の開口縁部１１ａからずれたり、浴槽１１から落下したりすることを防止される。この段状突部１６ｂの前後両端部によって本発明の係合部が構成される。
【００１６】
蓋部材１７は、蓋部材１６と同様、平面視が長方形に形成された板状体で構成されその上面は平面に形成されている。そして、蓋部材１７の下面は、前後（図３では左右）の縁部側部分が平面状の当接部１７ａに形成され、中央側部分が当接部１７ａよりも下方に突出した段状突部１７ｂに形成されている。このため、蓋部材１７を、蓋部材１６に並べて浴槽１１の開口縁部１１ａの中央側に設置すると、蓋部材１６と同様、蓋部材１７の当接部１７ａが開口縁部１１ａに当接し、段状突部１７ｂが浴槽１１の開口内に突出するようになる。また、この場合、蓋部材１７の左側の側面は、蓋部材１６の右側の側面（当接部１６ａが形成されていない側面）と接触する。
【００１７】
蓋部材１８は、浴槽１１の開口縁部１１ａの他方側に、蓋部材１７と並べて設置され、その際、蓋部材１６と同様、蓋部材１８の当接部（図示せず）が開口縁部１１ａに当接し、段状突部（図示せず）が浴槽１１の開口内に突出するようになる。また、この場合、蓋部材１８の左側の側面は、蓋部材１７の右側の側面と接触する。このため、風呂蓋１０は、蓋部材１６，１７，１８の当接部１６ａ，１７ａ等を浴槽１１の開口縁部１１ａに接触させるとともに、各蓋部材１６，１７，１８の対向する側面間を互いに接触させることにより、浴槽１１内を閉塞し、浴槽１１内の湯１９を保温する。
【００１８】
その際、各蓋部材１６，１７，１８は、段状突部１６ｂ，１７ｂ等における各前後両端部が浴槽１１における開口縁部１１ａの内部側の壁面に当たることにより、浴槽１１の開口縁部１１ａからずれたり、浴槽１１から落下したりすることを防止される。また、各蓋部材１６，１７，１８は、蓋部材１６の段状突部１６ｂの左側面および蓋部材１８の段状突部の右側面が開口縁部１１ａの内部側の壁面に当たるとともに、互いに隣接する蓋部材との接触によって左右方向にずれが生じることが防止される。このため、浴槽１１内の湯１９は、風呂蓋１０によって適正な状態で保温される。
【００１９】
このように、本発明に係る風呂蓋１０を構成する各蓋部材１６，１７，１８の下面には、下方に突出する段状突部１６ｂ，１７ｂ等が設けられており、この段状突部１６ｂ，１７ｂ等を浴槽１１の開口縁部１１ａに係合させた状態で、風呂蓋１０が浴槽の上面に載置されるため、風呂蓋１０は浴槽１１の上面における適正な位置に位置決めされるとともに、その位置からずれたり、浴槽１１の上面から落下したりすることを防止される。これによって、浴槽１１内の保温効果が増すようになる。
【００２０】
（第２実施形態）
図５は、本発明の第２実施形態に係る風呂蓋を構成する蓋部材２６が取り付けられた浴槽２１を示している。この浴槽２１は、前述した浴槽１１と同じ構造に形成されており、上面に開口縁部２１ａが形成されている。また、本実施形態に係る風呂蓋も、浴槽２１を閉塞できる３個１組の蓋部材２６等（１個しか図示せず）で構成されている。
【００２１】
そして、風呂蓋を構成する各蓋部材２６等の厚みは、前述した各蓋部材１６，１７，１８の当接部１６ａ，１７ａ等の厚みと略同じに設定され、各蓋部材２６等の下面における洗い場側部分には、それぞれ本発明の係合部を構成する係合突部２６ａが形成されている。この係合突部２６ａの左右方向の幅および設けられた位置は、それぞれ蓋部材１６，１７，１８の段状突部１６ｂ，１７ｂ等の洗い場１３側部分の端部と同じに設定されている。本実施形態に係る風呂蓋のそれ以外の部分の構成については、前述した第１実施形態における風呂蓋１０と同じである。
【００２２】
これによると、係合突部２６ａを小さくすることができるため、風呂蓋の軽量化が図れる。また、この場合の係合突部２６ａは、各蓋部材２６等と一体成形により形成してもよいし、別部材を各蓋部材２６等に固定することにより形成してもよい。また、この場合、浴槽２１の奥側には壁面があるため、風呂蓋が位置ずれしたり落下したりする方向は洗い場側だけである。このため、各蓋部材２６等の洗い場側部分にだけ、係合突部２６ａを設ければ風呂蓋の位置ずれや落下を防止することができる。本実施形態に係る風呂蓋のそれ以外の作用効果については、前述した第１実施形態に係る風呂蓋１０と同様である。
【００２３】
（第３実施形態）
図６は、本発明の第３実施形態に係る風呂蓋を構成する蓋部材３６が取り付けられた浴槽３１を示している。この浴槽３１は、前述した浴槽１１，２１と同じ構造に形成されており、上面に開口縁部３１ａが形成されている。また、本実施形態に係る風呂蓋も、浴槽３１を閉塞できる３個１組の蓋部材３６等（１個しか図示せず）で構成されている。
【００２４】
そして、風呂蓋を構成する各蓋部材３６等の厚みは、前述した蓋部材２６等の厚みと略同じに設定され、各蓋部材３６等の下面における前後部分（洗い場側部分と壁面側部分）には、それぞれ本発明の係合部を構成する回転係合部３６ａ，３６ｂが形成されている。回転係合部３６ａ，３６ｂは、それぞれ各蓋部材３６等（以下、蓋部材３６として説明する。）の左右方向の中央部に設けられており、図７および図８に示したように、蓋部材３６の下面に対して回転可能になっている。
【００２５】
すなわち、蓋部材３６の下面における前後には、それぞれ収容凹部３７が形成されており、各収容凹部３７における浴槽３１の中央側に位置する部分に、回転支軸３８を介して回転係合部３６ａ，３６ｂ（図７および図８は回転係合部３６ａを示している。）が、回転可能な状態で取り付けられている。この回転係合部３６ａ，３６ｂは、収容凹部３７内に収容可能な形状に形成されており、収容凹部３７内と蓋部材３６の下面側における蓋部材３６と直交する方向との間で回転支軸３８を中心として回転可能になっている。
【００２６】
したがって、蓋部材３６を浴槽３１の開口縁部３１ａ上に置くと、回転係合部３６ａ，３６ｂは自重によって、蓋部材３６の前後端側から中央側の下方に回転して図６の状態になる。この場合、蓋部材３６を前後方向にずらすような力が加わっても、回転係合部３６ａ，３６ｂが浴槽３１における開口縁部３１ａの内部側の壁面に当たることにより、蓋部材３６が浴槽１１の開口縁部１１ａからずれたり、浴槽１１から落下したりすることを防止される。
【００２７】
すなわち、この場合の回転係合部３６ａ，３６ｂの回転移動の範囲は、垂直方向が限度で、それ以上蓋部材３６の中央側上方には回転できないように構成されている。また、蓋部材３６を使用しない場合には、回転係合部３６ａ，３６ｂを回転させて収容凹部３７内に収容しておくことができる。これによって蓋部材３６は平面状の板状体になるため、コンパクトに重ねて立てかけておくことができる。本実施形態に係る風呂蓋のそれ以外の部分の構成については、前述した第１実施形態における風呂蓋１０と同じである。
【００２８】
これによると、蓋部材３６を浴槽３１の開口縁部３１ａに取り付けたときには、回転係合部３６ａ，３６ｂが下方に回転して、蓋部材３６の位置ずれや落下を防止することができ、蓋部材３６を浴槽３１から取り外して壁面等に立てかける場合には、回転係合部３６ａ，３６ｂを収容凹部３７内に収容することができる。このため、蓋部材３６は平面状になり、回転係合部３６ａ，３６ｂが突出して邪魔になることがない。
【００２９】
本実施形態に係る風呂蓋のそれ以外の作用効果については、前述した第１実施形態における風呂蓋１０と同様である。また、本実施形態においては、回転係合部３６ａ，３６ｂのうちの洗い場側に位置する回転係合部３６ａだけを設け、壁面側に位置する回転係合部３６ｂを省略することもできる。その場合、回転係合部３６ｂが取り付けられる収容凹部３７の形成も省略する。
【００３０】
また、本発明に係る風呂蓋は、前述した各実施形態に限るものでなく適宜変更して実施することができる。例えば、前述した実施形態では、上面が水平となった浴槽に本発明に係る風呂蓋を適用しているが、適用する浴槽は上面が水平のものに限らず、上下方向において湾曲している浴槽にも適用可能であるし、平面視において円形や部分的に湾曲している浴槽にも適用可能である。また、本発明に係る風呂蓋は３個１組の蓋部材で構成する場合に限らず、１個、あるいは４個以上の蓋部材で構成することももちろん可能であるし、巻いて浴槽の隅部等に立て掛けたりすることが可能ないわゆる巻き蓋であってもよい。
【００３１】
前述の上面が上下方向において湾曲している浴槽を適用した場合には、巻き蓋を適用することが望ましい。なお、巻き蓋を適用する場合には、第３実施形態のように回転係合部が収容凹部内に収容可能な構成にすることが望ましい。さらに、前述した第１実施形態では、段状突部１６ａ等を蓋部材１６等の下面における中央側部分全体に設けているが、この段状突部１６ａ等に換えて、段状突部１６ａ等の輪郭部分に対応する部分のみに下方に突出する突条を設けてもよい。また、段状突部１６ａ等の輪郭部分に対応する部分に間隔を保って複数の突起を設けてもよい。
【００３２】
さらに、前述した第３実施形態では、蓋部材３６の下面に収容凹部３７を形成して、この収容凹部３７に回転係合部３６ａ，３６ｂを取り付けているが、この収容凹部３７を設けず、蓋部材３６の下面に回転支軸３８を介して直接回転係合部３６ａ，３６ｂを取り付けてもよい。また、回転支軸３８の軸方向を前後方向に向けて、回転係合部３６ａ，３６ｂの回転方向を左右方向にすることもできる。
【００３３】
さらに、本発明に係る係合部は、前述した実施形態に限るものでなく、所定の機構を用いて、蓋部材から進退できるようにすることもできる。また、本発明の係合部は、風呂蓋を浴槽に載置した状態ですべての係合部が浴槽の開口縁部に完全に当接している必要はなく、風呂蓋が浴槽の上面から落下せず位置ずれが許容できる範囲で係合部と浴槽の開口縁部との間に隙間をもたせてもよい。さらに、風呂蓋のそれ以外の部分の構成等についても本発明の技術的範囲内で適宜変更して実施することが可能である。
【図面の簡単な説明】
【００３４】
【図１】本発明の第１実施形態に係る風呂蓋を備えた浴槽を示した斜視図である。
【図２】浴槽の端部側に取り付けられる蓋部材を示した斜視図である。
【図３】浴槽の中央側に取り付けられる蓋部材を示した斜視図である。
【図４】浴槽に蓋部材を取り付けた状態を示した断面図である。
【図５】第２実施形態に係る風呂蓋を構成する蓋部材を浴槽に取り付けた状態を示した断面図である。
【図６】第３実施形態に係る風呂蓋を構成する蓋部材を浴槽に取り付けた状態を示した断面図である。
【図７】蓋部材から回転係合部が突出した状態を示した斜視図である。
【図８】蓋部材から回転係合部が突出した状態を示した断面図である。
【符号の説明】
【００３５】
１０…風呂蓋、１１，２１，３１…浴槽、１１ａ，２１ａ，３１ａ…開口縁部、１２…壁面、１３…洗い場、１６，１７，１８，２６，３６…蓋部材、１６ｂ，１７ｂ…段状突部、１６ａ，１７ａ…当接部、２６ａ…係合突部、３６ａ，３６ｂ…回転係合部、３７…収容凹部、３８…回転支軸。
【図１】
2007190165.tif 000003
【図２】
2007190165.tif 000004
【図３】
2007190165.tif 000005
【図４】
2007190165.tif 000006
【図５】
2007190165.tif 000007
【図６】
2007190165.tif 000008
【図７】
2007190165.tif 000009
【図８】
2007190165.tif 000010